(57)【要約】【課題】  遊技場等において各遊技機間でタバコの煙が両横に流出せず、隣接遊技者にタバコの煙で迷惑を掛けることがない遊技場における分煙排煙装置に関する。【解決手段】  複数の遊技機が細長い遊技機取付枠（以下「遊技機島」とする）に沿って直線状に配置されている遊技場に設置される分煙排煙装置１であって、遊技機島の上面両端に設置された筒状の排煙ダクト３と、該排煙ダクト３の外側面に一定間隔に設けられた吸引孔４と、該排煙ダクト３の上端に固定され遊技機前部に庇状に突出して形成される覆い部５と、各遊技機同士の境界に設置されるとともに各遊技機間に設けられた間隙に収納可能となる板状の仕切り部６とから構成され、ブロワ１１の回転による吸気作用により前記排煙ダクト３から第一ダクトホース７等を経由して煙を外部に排出する。【選択図】図１
2008295543.tif 000002
【特許請求の範囲】
【請求項１】
遊技機島の上面両端に直線状に設置された筒状の排煙ダクトと、該排煙ダクトの外側面に一定間隔に設けられた吸引孔と、該排煙ダクトの上端に固定され遊技機前部に庇状に突出して形成される覆い部と、各遊技機同士の境界に設置されるとともに各遊技機間に設けられた間隙に収納可能となる板状の仕切り部とから構成され、該吸引孔から吸引した煙を該排煙ダクトを介して外部に排出することを特徴とする遊技場における分煙排煙装置。
【請求項２】
前記排煙ダクトの上端に、外側に開口したコ字状の嵌込口を設け、該嵌込口に前記覆い部を嵌め込むことにより、前記覆い部を固定することを特徴とする請求項１に記載の遊技場における分煙排煙装置。
【発明の詳細な説明】
【技術分野】
【０００１】
本発明は、パチンコ店等の遊技場や娯楽施設に設置される分煙排煙装置に関する。
【背景技術】
【０００２】
パチンコ店などの遊技場においては、以前は煙草の煙が充満している場合も多く、遊技を楽しみたい非喫煙者或いは嫌煙家の客にとっては苦痛であった。また、平成１５年５月１日施行の健康増進法に規定された受動喫煙の防止によって、パチンコ店等の遊技場や娯楽施設側の対応も迫られた。
【０００３】
そこで、従来、パチンコ台の上方に幕板状に形成された中空ボックス状の吸引ダクトの底部に設けられた開口部からタバコの煙を吸引することによって、隣接するパチンコ台に煙が分散することを防止する排煙装置が提供されている（例えば、特許文献１）。
【０００４】
また、パチンコ台の上部に設けられたエア吸引部によってタバコの煙を吸引し、且つ、カウンター台の遊技者左右両横に設けられたエア吹出部から吹出される上昇エア流によって、タバコの煙が隣接遊技者の側に流れることを防止ないし抑制するタバコの煙遮断装置が提供されている（例えば、特許文献２）。
【特許文献１】特開平１０−１６５６２５号「遊技機島におけるタバコの煙遮断装置」
【特許文献２】特許第３０２８４００号「パチンコ台の排煙装置」
【発明の開示】
【発明が解決しようとする課題】
【０００５】
しかしながら、特許文献１に記載の技術では、喫煙者が吐き出した煙は、吸引ダクトによって吸引される前に、パチンコ台に当たって両サイドの隣接遊技者の方に分散してしまい、タバコの煙の吸引が不十分になることから非喫煙者或いは嫌煙家の隣接遊技者に嫌悪感を与えてしまう。
【０００６】
また、特許文献２に記載の技術では、エア吹出部から流出される上昇エア流により、隣接遊技者の側に煙が流れることは抑制できるものの、流出されるエアが人体に感じない程度のごく低い風速で流出されるため、ある程度の煙が漏れることは否めず、また、隣接の嫌煙遊技者にとってはタバコの煙が流れてくるのではないかという不安感により、遊技に興じることができない。さらに、エア吸引口が狭小であることから、吸引できる煙の量に限界があった。
【課題を解決するための手段】
【０００７】
上記課題を解決するために、本発明は次のように構成した。すなわち、本発明に係る遊技場における分煙排煙装置は、複数の遊技機が細長い遊技機取付枠（以下「遊技機島」とする）に沿って直線状に配置されている遊技場に設置される分煙排煙装置であって、遊技機島上方に設置され煙を吸引する吸引孔を備える排煙ダクトと、前記排煙ダクトの上端に固定され遊技機前部に庇状に突出して形成される覆い部と、各遊技機同士の境界に設置され各遊技機間に設けられた間隙に収納可能となる板状の仕切り部とから構成されることを特徴とする。
【発明の効果】
【０００８】
本発明に係る遊技場における分煙排煙装置よれば、覆い部及び仕切り部により、タバコの煙が隣接遊技者側に流出することはなく、また、タバコの煙を漏れなく吸引孔から吸引可能であることにより隣接遊技者にタバコの煙で迷惑を掛けることはなく、さらに、遊技者が仕切り部を視認できることにより隣接遊技者は安心して遊技に興じることができる。
【発明を実施するための最良の形態】
【０００９】
以下、図面に基づいて本発明を具体的に説明する。図１は、本発明に係る遊技場における分煙排煙装置１の構成斜視図である。本発明に係る遊技場における分煙排煙装置１は、遊技機島２の上面両端に直線状に配置される排煙ダクト３と、前記排煙ダクト３の外側面に一定間隔に設けられた吸引孔４と、前記排煙ダクト３の上端に設置され遊技機前部に庇状に突出する覆い部５と、各遊技機同士の境界に設けられ各遊技機間に設けられた間隙に収納可能な板状の仕切り部６とから構成される。
【００１０】
排煙ダクト３は、四角筒状のケーシングで構成され、遊技機島２の上面の左右両端部に直線状に配置される。排煙ダクト３の外側面には、一定間隔に吸引孔４が設けられており、喫煙者が排出したタバコの煙を排煙ダクト３へと吸引する。吸引孔４から吸引されたタバコの煙は、排煙ダクト３内の空間を通過し遊技場外部へと排出される。
【００１１】
覆い部５は、前述の通り、遊技機前部に庇状に突出して形成されている。また、覆い部５の先端部は下方に緩やかな湾曲形状に構成されており、タバコの煙を漏れなく包み込むように集煙することでき、隣接遊技者側或いは天井方面に漏洩させない。これにより、吸引孔４においてタバコの煙を漏れなく吸引することが可能となる。
【００１２】
仕切り部６は、板状であって各遊技機同士の境界に設置され、タバコの煙が隣接遊技者の側へ流出することを防止し、且つ、隣接遊技者が仕切り部６を視認することができることから、タバコの煙が流れてこないという安心感を与えることができる。
【００１３】
また、覆い部５及び仕切り部６は、透明或いは半透明のアクリル等の合成樹脂によって構成されることにより、上述したタバコの煙が流出しないという安心感を遊技者に与える一方で、覆い部５及び仕切り部６に囲まれているという圧迫感を遊技者に与えることはない。
【００１４】
上記タバコの煙の排煙ダクト３内の通過及び吸引孔４による吸引は、遊技場内に設置されたブロワ１１の回転による吸気作用により行なう。覆い部５の底面部に集煙されたタバコの煙は、吸引孔４から吸引されて排煙ダクト３内の空間を通過し、遊技機島２の上面両端の排煙ダクト３にそれぞれ接続された２本の第一ダクトホース７から、該２本の第一ダクトホース７に接続された第二ダクトホース８及び当該第二ダクトホース８に接続された天井裏の配管９を経由した後、集塵機１０へと送られる。タバコの煙は、集塵機１０によりニコチン及びタール等の有害物質を除去された後、ブロワ１１から消音器１２を通過して遊技場外部へと排出される。
【００１５】
上記覆い部５の集煙効果並びに覆い部５及び仕切り部６の分煙効果により、タバコの煙の隣接遊技者側への流出をシャットアウトすることができ、且つ排煙ダクト３に設けられた吸引孔４が喫煙者の排出した煙を漏れなく吸引することで、非喫煙或いは嫌煙の隣接遊技者は、タバコの煙を気にすることなく安心して遊技に興じることができる。
【００１６】
図２は、遊技場における分煙排煙装置１の構成斜視拡大図である。上述のように、覆い部５は先端方向に向かうにつれて弓状に下方へ湾曲しており、上昇してきたタバコの煙を集煙する。また、仕切り部６が、各遊技機同士の境界に設けられることにより、タバコの煙が隣接遊技者の方へ流出することもない。覆い部５の底面に溜まった煙は、排煙ダクト３の外側面に一定間隔に設けられた吸引孔４により漏れなく吸引される。
【００１７】
図３は、発明に係る遊技場における分煙排煙装置１の断面図である。上述のように、排煙ダクト３は四角筒状で構成され、該排煙ダクト３の外側面に設けられた吸引孔４から吸引されたタバコの煙を通過させる。該排煙ダクト３内の空間を通過した煙は、第一排煙ダクト７、第二排煙ダクト８及び配管９を経由した後、集塵機１０及びブロア１１を介して外部に排出される。
【００１８】
仕切り部６は、図２及び図３に示したように、各遊技機間に設けられた間隙に収納可能であり、仕切り部６の設置後であっても、仕切り部が不要な場合、例えば友人同士で遊技する場合などには、仕切り部６を収納して遊技に興じることができる。
【００１９】
図４は、排煙ダクト３、吸引孔４及び覆い部５の断面拡大図である。排煙ダクト３の上面には排煙ダクト３の外側に開口したコ字状の嵌込口３ａが形成され、覆い部５を嵌め込み可能に構成される。覆い部５が着脱可能となることで、覆い部５に付着したタバコのヤニ等の掃除等が容易になるという利便性がある。排煙ダクト３の外側に開口したコ字状の嵌込口３ａの上面には螺子孔３ｂが形成され、かつ覆い部５にも第二螺子孔５ａが形成されており、螺子３ｃを通すことにより覆い部５を固定する。
【００２０】
上記実施例では、仕切り部６は遊技機間同士の境界に突出して構成され、各遊技機間に設けられた間隙に収納可能であったが、仕切り部６を蛇腹状に構成することにより、該間隙を狭小化することができる。
【００２１】
上記実施例の嵌込口３ａのコ字状の形状とは別に、覆い部５の断面をＬ字状に形成することにより、覆い部５のＬ字状の連結部分を、Ｕ字状に形成し縦方向に開口した嵌込口３ａに嵌め込むことで固定するような構成にしてもよい。なお、覆い部５を排煙ダクト３の上面に固定することが可能な態様であれば何でも良い。
【産業上の利用可能性】
【００２２】
上記実施例では、本発明に係る遊技場における分煙排煙装置１は遊技機島２に設置されたが、例えば、デスクが横方向に並べられたオフィス、インターネットカフェ或いはラーメン店のようなカウンター式の飲食店などに設置することも可能である。なお、上記オフィス及びインターネットカフェのように既にパンテーション等で各デスクが区切られている場合には、上記実施例で構成された仕切り部６を設ける必要はない。
【図面の簡単な説明】
【００２３】
【図１】本発明に係る遊技場における分煙排煙装置の構成斜視図である。
【図２】上記実施例の遊技場における分煙排煙装置の構成斜視拡大図である。
【図３】上記実施例の遊技場における分煙排煙装置の断面図である。
【図４】実施例に記載の排煙ダクト及び覆い部の拡大図である。
【符号の説明】
【００２４】
１    遊技場における分煙排煙装置
２    遊技機島
３    排煙ダクト
３ａ  嵌込口
３ｂ  螺子孔
３ｃ  螺子
４    吸引孔
５    覆い部
５ａ  第二螺子孔
６    仕切り部
７    第一ダクトホース
８    第二ダクトホース
９    配管
１０  集塵機
１１  ブロワ
１２  消音器
【図１】
2008295543.tif 000003
【図２】
2008295543.tif 000004
【図３】
2008295543.tif 000005
【図４】
2008295543.tif 000006